(57)【特許請求の範囲】
【請求項１】
台座の上に立ち上がる立上部と、立上部から横に延びるスパウト部とを有し、給水源から供給される水を、スパウト部の吐水開口から吐水する水栓装置であって、
前記立上部と前記スパウト部とを一体として形成する水栓本体と、
前記水栓本体の前記立上部内に配置され、前記給水源からの水を供給する供給部と、
前記水栓本体の前記スパウト部内に配置され、前記供給部からの水を前記吐水開口に通水するスパウト通水部と、
前記供給部と前記スパウト通水部とを接続する接続部と、を備え、
前記水栓本体は、
前記スパウト通水部を内部に通す内部通過部分であって、前記スパウト部の少なくとも基部側に形成されると共に前記スパウト部の内部空間の外側を一体としてカバーするように形成される前記内部通過部分と、
前記スパウト部において前記内部通過部分よりも先端側に形成され、前記スパウト部の下側において、前記スパウト通水部を前記供給部との前記接続部に向かって挿入でき、且つ前記水栓本体内で前記供給部と接続できるように作られた取付開口を形成している取付開口部と、
前記取付開口部に取付けられる蓋部と、
を有していることを特徴とする水栓装置。
【請求項２】
前記取付開口部は、その内側に前記吐水開口が位置するように形成されている、請求項１に記載の水栓装置。
【請求項３】
前記蓋部は、自身の内側に前記吐水開口を形成している請求項２に記載の水栓装置。
【請求項４】
前記水栓本体の前記スパウト部の下面は、下方に湾曲するアーチ形状に形成され、その下面の一部に取付開口部が形成されている、請求項１乃至３の何れか１項に記載の水栓装置。
【請求項５】
前記スパウト通水部は、可撓性を有している、請求項１乃至４の何れか１項に記載の水栓装置。
【請求項６】
前記スパウト通水部は、前記スパウト通水部を、前記取付開口部から前記水栓本体内に挿入するときに、自身を前記水栓本体内で前記供給部との前記接続部に導くガイド部材を有している、請求項１乃至５の何れか１項に記載の水栓装置。
【請求項７】
前記接続部は、鉛直断面視において楕円形状を形成している、請求項１乃至６の何れか１項に記載の水栓装置。
【請求項８】
台座の上に立ち上がる立上部と、立上部から横に延びるスパウト部とを一体として構成する水栓本体内に、給水源からの水を供給する供給部と、供給部からの水を吐水開口に通水するスパウト通水部と、を組み立てる水栓装置の製造方法であって、
前記台座の上に立ち上がる前記立上部と、前記立上部から横に延びる前記スパウト部とを一体として構成すると共に、前記スパウト通水部を内部に通す内部通過部分であって、前記スパウト部の少なくとも基部側に形成されると共に前記スパウト部の内部空間の外側を一体としてカバーするように形成される前記内部通過部分を有している前記水栓本体を準備するステップと、
前記水栓本体の前記立上部内に前記供給部を取付けるステップと、
前記スパウト通水部を、前記水栓本体の前記内部通過部分よりも先端側において前記スパウト部の下側に形成された取付開口部から挿入するステップと、
前記スパウト通水部を前記水栓本体内の前記供給部に接続するステップと、
蓋部を前記取付開口部に取付けるステップと、を有することを特徴としている水栓装置の製造方法。
【発明の詳細な説明】
【技術分野】
【０００１】
本発明は、台座の上に立ち上がる立上部と、立上部から横に延びるスパウト部とを有し、給水源から供給される水を、スパウト部の吐水開口から吐水する水栓装置に関する。
【背景技術】
【０００２】
従来、台上に設けられる水栓装置であって、水栓装置が台上に立ち上がる立上部と、立上部から横に延びるスパウト部とを有しているものが知られている。このような従来の台上に設けられる水栓装置においては、外観部材及び内部の通水部材のいずれも鋳物で一体に形成されていた。しかしながら、近年、内部の通水部材を環境負荷低減のため、樹脂により別体で形成することが検討されている。
【先行技術文献】
【特許文献】
【０００３】
【特許文献１】米国特許８１５６９６３号明細書
【発明の概要】
【発明が解決しようとする課題】
【０００４】
しかしながら、特許文献１に示されるように、外観部材と、内部の通水部材とを別体により形成する場合においては、内部通水部材を外観部材内に組み込んで水栓装置を製造する必要が生じる。
ここで、立上部からスパウト部が横に延びる水栓装置においては、このように内部通水部材を外観部材内に組み込むためには、外観部材の水栓本体を分割して分解できるようにし、通水部材をスパウト部及び立上部の内部のそれぞれに配置することが必要となっていた。
【０００５】
例えば、特許文献１に示されるように、水栓本体の上部と、その下部とを取り外した状態で、スパウト部内に設けられるスパウト通水部と、給水源からの水を供給する供給部と、を接続して通水部材を組立て、水栓本体の上部を、水栓本体の下部と組合せるようにして、内部の通水部を形成する必要が生じていた。
【０００６】
しかしながら、水栓本体の立上部及びスパウト部の上部を水栓本体の立上部及びスパウト部の下部と組合せるようにして、内部の通水部を形成する組立方法によれば、水栓本体の立上部及びスパウト部の上部と、水栓本体の立上部及びスパウト部の下部とを組合せる境目の割線が、水栓本体の側面に目立つように形成されてしまい、水栓装置のデザイン性が良くないという問題がある。
【０００７】
そこで、本発明は、上述した従来技術の問題を解決するためになされたものであり、水栓本体が、立上部とスパウト部とを一体として構成するように形成され、水栓本体に生じる割線を使用者が見えにくい位置に配置することができ、水栓装置のデザイン性を向上することができる水栓装置を提供することを目的としている。
【課題を解決するための手段】
【０００８】
上記の目的を達成するために、本発明は、台座の上に立ち上がる立上部と、立上部から横に延びるスパウト部とを有し、給水源から供給される水を、スパウト部の吐水開口から吐水する水栓装置であって、立上部とスパウト部とを一体として形成する水栓本体と、水栓本体の立上部内に配置され、給水源からの水を供給する供給部と、水栓本体のスパウト部内に配置され、供給部からの水を吐水開口に通水するスパウト通水部と、供給部とスパウト通水部とを接続する接続部と、を備え、水栓本体は、スパウト通水部を内部に通す内部通過部分であって、スパウト部の少なくとも基部側に形成されると共にスパウト部の内部空間の外側を一体としてカバーするように形成される内部通過部分と、スパウト部において内部通過部分よりも先端側に形成され、スパウト部の下側において、スパウト通水部を供給部との接続部に向かって挿入でき、且つ水栓本体内で供給部と接続できるように作られた取付開口を形成している取付開口部と、取付開口部に取付けられる蓋部と、を有していることを特徴としている。
このように構成された本発明においては、台座の上に立ち上がる立上部と、立上部から横に延びるスパウト部とを有している立水栓装置において、水栓本体が、立上部とスパウト部とを一体として構成するように形成され、さらに水栓本体がスパウト通水部を内部に通す内部通過部分であってスパウト部の少なくとも基部側に形成されると共にスパウト部の内部空間の外側を一体としてカバーするように形成される内部通過部分を備えている場合に、スパウト通水部を、取付開口部から 水栓本体の内部通過部分の内部を通して挿入でき、水栓本体内で供給部と接続することができる。ここで、水栓本体は、内部通過部分よりも先端側においてスパウト部の下側に取付開口部が開口されているので、取付開口部と、この取付開口部に取付けられる蓋部との間に生じる割線が、内部通過部分よりも先端側におけるスパウト部の下側の面内に形成される。従って、水栓本体は、使用者から見えやすい立上部とスパウト部とを一体として構成するように形成され、水栓本体に生じる割線を使用者が見えにくい位置に配置することができ、水栓装置のデザイン性を向上することができる。
【０００９】
本発明において、好ましくは、取付開口部は、その内側に吐水開口が位置するように形成されていることを特徴としている。
このように構成された本発明においては、取付開口部は、その内側に吐水開口が位置するように形成されているので、スパウト通水部を取付開口部から水栓本体内に挿入することができ、取付開口部の内側の吐水開口から吐水させることができる。
【００１０】
本発明において、好ましくは、蓋部は、自身の内側に吐水開口を形成していることを特徴としている。
このように構成された本発明においては、蓋部によって、吐水開口を形成することができる。
【００１１】
本発明において、好ましくは、水栓本体のスパウト部の下面は、下方に湾曲するアーチ形状に形成され、その下面の一部に取付開口部が形成されていることを特徴としている。
このように構成された本発明においては、取付開口部と、この取付開口部に取付けられる蓋部との間に生じる割線が、スパウト部の下側の下方に湾曲するアーチ形状の下面の一部に形成される。従って、割線を使用者が見えにくい位置に配置することができ、水栓装置のデザイン性を向上することができる。
【００１２】
本発明において、好ましくは、スパウト通水部は、可撓性を有していることを特徴としている。
このように構成された本発明においては、スパウト通水部を、取付開口部から挿入しやすくすることができる。
【００１３】
本発明において、好ましくは、スパウト通水部は、スパウト通水部を、取付開口部から水栓本体内に挿入するときに、自身を水栓本体内で供給部との接続部に導くガイド部材を有していることを特徴としている。
このように構成された本発明においては、スパウト通水部を 水栓本体内で供給部に向かって挿入する際に、ガイド部材が、スパウト通水部を、供給部との接続部に導くことができ、接続部と確実に接続することができる。
【００１４】
本発明において、好ましくは、接続部は、鉛直断面視において楕円形状を形成していることを特徴としている。
このように構成された本発明においては、接続部は、鉛直断面視において楕円形状を形成しているので、スパウト通水部側の接続部を取付開口部内に挿入するときに、取付開口部内に挿入しやすくなっている。
【００１５】
本発明において、好ましくは、台座の上に立ち上がる立上部と、立上部から横に延びるスパウト部とを一体として構成する 水栓本体内に、給水源からの水を供給する供給部と、供給部からの水を吐水開口に通水するスパウト通水部と、を組み立てる水栓装置の製造方法であって、台座の上に立ち上がる立上部と、立上部から横に延びるスパウト部とを一体として構成すると共に、スパウト通水部を内部に通す内部通過部分であって、スパウト部の少なくとも基部側に形成されると共にスパウト部の内部空間の外側を一体としてカバーするように形成される内部通過部分を有している水栓本体を準備するステップと、水栓本体の立上部内に供給部を取付けるステップと、スパウト通水部を、水栓本体の前記内部通過部分よりも先端側においてスパウト部の下側に形成された取付開口部から挿入するステップと、スパウト通水部を水栓本体内の供給部に接続するステップと、蓋部を取付開口部に取付けるステップと、を有することを特徴としていることを特徴としている。
このような本発明の水栓装置の製造方法及びこのように製造される本発明の水栓装置においては、台座の上に立ち上がる立上部と、立上部から横に延びるスパウト部とを有している立水栓装置において、水栓本体が、立上部とスパウト部とを一体として構成するように形成され、さらに水栓本体がスパウト通水部を内部に通す内部通過部分であってスパウト部の少なくとも基部側に形成されると共にスパウト部の内部空間の外側を一体としてカバーするように形成される内部通過部分を備えている場合に、スパウト通水部を、取付開口部から水栓本体の内部通過部分の内部を通して挿入でき、水栓本体内で供給部と接続することができる。よって、水栓本体は、内部通過部分よりも先端側においてスパウト部の下側に取付開口部が開口されているので、取付開口部と、この取付開口部に取付けられる蓋部との間に生じる割線が、内部通過部分よりも先端側におけるスパウト部の下側の面内に形成される。また、水栓本体は、使用者から見えやすい立上部とスパウト部とを一体として構成するように形成され、水栓本体に生じる割線を使用者が見えにくい位置に配置することができ、デザイン性を向上した水栓装置を製造することができる。
【発明の効果】
【００１６】
本発明の水栓装置によれば、水栓本体が、立上部とスパウト部とを一体として構成するように形成され、水栓本体に生じる割線を使用者が見えにくい位置に配置することができ、水栓装置のデザイン性を向上することができる。
【図面の簡単な説明】
【００１７】
【図１】本発明の一実施形態による水栓装置が洗面台上に設けられている様子を示す斜視図である。
【図２】本発明の一実施形態による水栓装置を洗面台上に取付けていない状態で斜め下方から見た斜視図である。
【図３】本発明の一実施形態による水栓装置の分解斜視図である。
【図４】本発明の一実施形態による水栓装置の断面図である。
【図５】本発明の一実施形態による水栓装置のスパウト部を下から見た状態で、取付開口部と、取付開口部に取付けられる蓋部と、吐水開口との関係を示す図である。
【図６】図５に示す取付開口部と、取付開口部に取付けられる蓋部と、吐水開口との関係の変形例を示す図である。
【図７】本発明の一実施形態による水栓装置のスパウト通水部のガイド部材について部分的に拡大した概略部分拡大断面図である。
【図８】本発明の一実施形態による水栓装置の製造工程を概略的に示す概略図である。
【発明を実施するための形態】
【００１８】
以下、添付図面を参照して、本発明の一実施形態による水栓装置を説明する。
図１は、本発明の一実施形態による水栓装置が洗面台上に設けられている様子を示す斜視図である。
【００１９】
図１に示すように、本発明の一実施形態である水栓装置１が洗面台２上に設置されている。水栓装置１は、使用者がシングルレバー等のハンドル４を操作することにより、水栓装置１からの吐水、止水を切り換えるように構成されている。なお、本実施形態の水栓装置１は、洗面台以外のキッチン、流し等の吐水が必要な場所に設置することができる。また、水栓装置１は、使用者がシングルレバー以外の機械的又は電気的な操作部を操作することにより、水栓装置１からの吐水、止水を切り換えるように構成されていてもよい。
【００２０】
次に、図１乃至図４を参照して、本発明の一実施形態による水栓装置１の構成を説明する。
図２は本発明の一実施形態による水栓装置を洗面台上に取付けていない状態で斜め下方から見た斜視図であり、図３は本発明の一実施形態による水栓装置の分解斜視図であり、図４は本発明の一実施形態による水栓装置の断面図である。
なお、図３及び図４においては、後述するスパウト通水部１０のガイド部材２４は、省略されている。
【００２１】
図１及び図２に示すように、水栓装置１は、洗面台２（台座）の上に立ち上がる基部側の立上部１ａと、立上部１ａから横に延びる横向きのスパウト部１ｂとを有し、水道等の給水源（図示せず）から供給される水を、スパウト部１ｂの先端側の吐水開口６から吐水する水栓装置である。
水栓装置１は、立上部１ａとスパウト部１ｂとを一体として形成する水栓本体１４と、水栓本体１４の立上部１ａ内に少なくとも一部が配置され、給水源からの水を供給する供給部８と、水栓本体１４のスパウト部１ｂ内に配置され、供給部８からの水を吐水口部１１及び吐水開口６に通水するスパウト通水部１０と、供給部８とスパウト通水部１０とを接続する接続部１２と、を備えている。
【００２２】
水栓本体１４は、供給部８の少なくとも一部及びスパウト通水部１０を内部に通すようになっている。
供給部８は、水道等の給水源に接続されるホース９及び、後述するような弁体１６等の通水部材により、給水源から水を供給するようになっている。供給部８は、接続部１２においてスパウト通水部１０と接続され、供給部８からスパウト通水部１０に連通する流路を形成するようになっている。
スパウト通水部１０は、スパウト部１ｂにおける水栓本体１４内に横向きに延びる通水部を形成している。スパウト通水部１０の基端部側は、接続部１２を形成し、供給部８と接続されるようになっている。スパウト通水部１０の先端部側は、吐水口部１１を形成しており、水が吐水口部１１から下方に吐水されるようになっている。
スパウト通水部１０は、可撓性を有するように樹脂等により形成されている。よって、スパウト通水部１０を、後述するように取付開口部２０から水栓本体１４内に斜め横向きに供給部８側に向かって挿入する場合にも、スパウト通水部１０を湾曲させながら挿入することができ、スパウト通水部１０を、取付開口部２０から挿入しやすくすることができる。また、スパウト通水部１０が可撓性を有しているので、スパウト通水部１０を通過させる取付開口部２０も比較的小さく形成することができる。
【００２３】
接続部１２は、供給部８側の接続部１２と、スパウト通水部１０側の接続部１２とが接続されることにより、図４に示すような接続位置での接続状態を形成する。この接続部１２が接続された状態においては、供給部８内の流路と、スパウト通水部１０内の流路とを水密に接続することができるようになっている。接続部１２を接続する際には、スパウト通水部１０側の接続部１２を、供給部８側の接続部１２内に挿入する。
接続部１２は、鉛直断面視において鉛直方向が扁平の楕円形状を形成している。他の言い方では、接続部１２は、鉛直断面視において鉛直方向（高さ方向）の径よりも横方向（幅方向）の径が大きく形成されている楕円形状を形成している。よって、スパウト通水部１０側の接続部１２を後述する取付開口部２０内に挿入するときに、円形状よりも一部分の径、例えば鉛直方向の径が比較的小さく形成されているので、取付開口部２０内に挿入しやすくなっている。
【００２４】
さらに、水栓装置１は、使用者が上下左右に操作するシングルレバーのハンドル４と、ハンドル４の動作に合わせて動く弁体１６等を内蔵し、水又は湯水の吐水、止水機能及び水又は湯水の温度調節機能を有している機能部１８と、を備えている。
このように、水栓装置１は、弁体１６等を含む機能部１８を水栓本体１４内に内蔵し、且つ水を水栓本体１４のスパウト部１ｂの吐水開口６から吐水するタイプの水栓装置である。
なお、本発明において使用する用語「水」は、水栓装置１において温度調節されて湯と水が混合された湯水のみならず、外部水道から給水された水のみを給水させてこの水に湯を混合させていない水、給湯器等の他の機器により適温まで加熱され水を混合させていない湯も含む意味で使用されている。
【００２５】
機能部１８は、使用者のハンドル４の操作に応じて弁体１６等の開閉、水又は湯水の流量割合の調節、をする機能を有している。機能部１８は、給水源からの水を内部を通して供給することから、機能部１８の一部は供給部８を構成している。
本発明の一実施形態における供給部８の構成部材は、水を給水源から供給できるような他の構成部材によることができる。また、本発明の一実施形態における機能部１８の構成部材は、水又は湯水の吐水、止水機能及び水又は湯水の温度調節機能を有しているような他の構成部材によることができる。
【００２６】
水栓本体１４は、供給部８の少なくとも一部、機能部１８及びスパウト通水部１０を内部に配置する外観部材（水栓本体カバー）を形成している。
水栓本体１４は、立上部１ａとスパウト部１ｂとを一体として一体成型されて形成され、立上部１ａとスパウト部１ｂとを割線が生じないように継ぎ目なくカバーするように形成されている。
水栓本体１４は、洗面台２の台座上に固定され、台座の上に立ち上がる立上部１ａから横に延びるスパウト部１ｂを有している立水栓装置の外観を一部材として見えるように構成している。よって、水栓本体１４は、外観において立上部１ａとスパウト部１ｂとを接合する際の割線が存在しておらず、別部材を接合するような継ぎ目がなく使用者に美観を与えるような比較的きれいなデザインを有している。
【００２７】
水栓本体１４は、金属による鋳物により形成されている。これに対し、水栓本体１４内部に配置される供給部８、機能部１８及びスパウト通水部１０等の部材は主に樹脂、ゴム、メタル等により形成されている。
このように、本発明の一実施形態の水栓装置１においては、外観部材の水栓本体１４と、水栓本体１４内に通される内部部材の通水部分の供給部８及びスパウト通水部１０等とは、別体で形成されている。供給部８、機能部１８及びスパウト通水部１０における流路を、鋳物で形成せず、樹脂等により形成することで、鋳物製造の環境負荷を低減することができ、鉛やニッケル等の金属物質が溶け出すことも防ぐことができる。
【００２８】
さらに、水栓本体１４は、スパウト部１ｂの下側において、スパウト通水部１０を供給部８との接続部１２に向かって挿入でき、且つ水栓本体１４内で供給部１２と接続できるように作られた取付開口を形成している取付開口部２０と、取付開口部２０に取付けられる蓋部２２と、を有している。
【００２９】
次に、図２乃至図６を参照して、本発明の一実施形態による水栓装置１の取付開口部２０及び蓋部２２を説明する。
図５は、本発明の一実施形態による水栓装置のスパウト部を下から見た状態で、取付開口部と、取付開口部に取付けられる蓋部と、吐水開口との関係を示す図であり、図６は図５に示す取付開口部と、取付開口部に取付けられる蓋部と、吐水開口との関係の変形例を示す図である。
【００３０】
取付開口部２０は、スパウト部１ｂの下側のスパウト部１ｂの先端側の下面において、吐水開口６よりも大きな開口部を形成している。取付開口部２０は、スパウト部１ｂの下面から下向きに開口する開口部を形成している。取付開口部２０は、スパウト部１ｂの使用者から見えやすい上面に対して反対側の、使用者から見えにくい下向き面に開口されている。
取付開口部２０は、取付開口部２０の先端側部２０ａはスパウト部１ｂの先端の下部に形成されている。取付開口部２０の基端側部２０ｂは、スパウト部１ｂの先端からスパウト部１ｂの根元の立上部１ａまでの長さの約３分の１から約３分の２の長さまでの範囲の位置に形成されている。
よって、取付開口部２０は、スパウト部１ｂの長手方向においてスパウト部１ｂの先端側の先端側部２０ａから基端側部２０ｂまでの範囲を開口している。取付開口部２０は、スパウト部１ｂの左右方向（短手方向）においては、スパウト部１ｂの下側が、スパウト部１ｂの側面から反対側の側面までの範囲にわたって開口するようになっている。
【００３１】
取付開口部２０は、その先端側の一部において吐水開口６が設けられるようになっている。このように、取付開口部２０は、その内側に吐水開口６が位置するように形成されていてもよく、また吐水開口６と一致するように形成されていてもよい。なお、取付開口部２０が吐水開口６と接続するように形成されている場合にも、取付開口部２０が吐水開口６を含むように形成され、その内側に吐水開口６が位置するように形成されている。
【００３２】
取付開口部２０は、水栓本体１４のスパウト部１ｂの下面（底面）の一部に形成されている。水栓本体１４のスパウト部１ｂの下面は、下方に湾曲した弧を有するような湾曲した面（例えば下方に湾曲するアーチ形状の面）に形成されている。水栓本体１４のスパウト部１ｂの下面は、ほぼ平坦面に形成されていてもよい。
【００３３】
取付開口部２０と、蓋部２２とを取付けた状態におけるこれらの部材の間の境目に割線が生じる。取付開口部２０の外周縁はスパウト部１ｂの下面に形成されていることから、割線も下面内に形成されることになる。従って、水栓本体１４の立上部１ａ及びスパウト部１ｂの側面には、割線が形成されていない状態となる。
【００３４】
水栓本体１４のスパウト部１ｂの下面は、立上部１ａから横向きに延びている。取付開口部２０の外周縁は横向きの面上に存在し、取付開口部２０は、この横向きの面から下向きに開口する開口部を形成している。従って、スパウト通水部１０を取付開口部２０に挿入する場合には、後述するように、スパウト通水部１０を取付開口部２０から供給部８側の接続部１２に向かって斜めに横向きに押し込むように挿入する必要がある。
【００３５】
蓋部２２は、取付開口部２０を覆うように下側から取付けられる。蓋部２２は、取付開口部２０に下側から取付けられた状態で、蓋部２２と取付開口部２０との間において割線を生じるようになっている。また、蓋部２２は、自身の内側又は外側に吐水開口６を形成するようになっている。例えば、図５に示すように、蓋部２２は、自身の内部に吐水開口６が形成されていてもよい。
【００３６】
図５に示すように、蓋部２２は、蓋部２２の先端側縁２２ａが、スパウト部１ｂの先端側に向かって突出するような円弧形状を有し、その両側の辺はスパウト部１ｂの両側面とほぼ平行に延び、その基部側の辺は、スパウト部１ｂを左右に横断するように延びている。蓋部２２は、その形状が、取付開口部２０から吐水開口６を形成する領域を除いた部分の領域の形状に一致するように形成されている。蓋部２２は、その左右両側の辺よりも中央部分がやや下方に位置し、鉛直断面視で、中央が左右の辺よりも下方に湾曲する弧形状を有している。
図５に示すように、蓋部２２には、吐水開口６が、先端側縁２２ａよりやや内側（基部側）の位置においてほぼ円形に開口されている。この吐水開口６には、スパウト通水部１０を取付けた状態で吐水口部１１が位置決めされ、水栓装置１の吐水部を形成するようになっている。蓋部２２の内側における吐水開口６の位置は、左右又は根元側に変更することも可能である。
【００３７】
図５において、蓋部２２を取付開口部２０に取付けた状態における、蓋部２２と取付開口部２０との間に生じる割線２６を示す。割線２６は、スパウト部１ｂの下側の底面２８上に配置されている。取付開口部２０は、底面２８と平行に下向きに開口している。スパウト部１ｂの下側は、水栓装置１の使用者から見て、スパウト部１ｂの裏側にあたり、通常は見えず、特別に下方から覗き込みでもしない限り見えにくい領域である。従って、水栓装置１の使用者から見て、取付開口部２０、割線２６及び蓋部２２のいずれも見えにくい位置に配置され、水栓装置１のデザイン性が向上されている。
【００３８】
なお、本発明の一実施形態の変形例として、図６に示すように、蓋部２２の形状、取付開口部２０、吐水開口６との関係を異なるものにすることができる。
図６に示すように、蓋部２２は、取付開口部２０の先端側部２０ａとの間に吐水開口６を形成するようになっていてもよい。このとき、蓋部２２は、その先端側の先端側縁２２ａが先端側に対して凹形状の曲線を形成し、吐水開口６が蓋部２２の先端側に形成されるようになっている。このように、蓋部２２が取付開口部２０に取付けられた状態で、蓋部２２が吐水開口６の一部分を形成し、水栓本体１４が吐水開口６の残りの部分を形成している。蓋部２２と水栓本体１４とにより形成される吐水開口６の位置は、先端側のみならず、左右側又は根元側の位置とすることもできる。
蓋部２２の先端側縁２２ａは吐水開口６の一部を形成しており、蓋部２２の先端側縁２２ａ以外の外周辺が取付開口部２０との間で割線２６を生じている。割線２６がスパウト部１ｂの下側の底面２８上に配置されている点については、本発明の一実施形態と同様であるので、同様の上述の効果等の説明を省略する。
【００３９】
次に、図７を参照して、本発明の一実施形態による水栓装置１のスパウト通水部１０のガイド部材２４を説明する。
図７は本発明の一実施形態による水栓装置のスパウト通水部のガイド部材について部分的に拡大した概略部分拡大断面図である。
本発明の一実施形態において、スパウト通水部１０は、スパウト通水部１０を、取付開口部２０から水栓本体１４内に挿入するときに、自身を水栓本体１４内で供給部８との接続部１２に導くガイド部材２４を有している。スパウト通水部１０は、スパウト通水部１０側の接続部１２の近傍においてガイド部材２４を有している。さらに、ガイド部材２４は、スパウト通水部１０から外側に拡がる四角形状の平板を形成している。ガイド部材２４は、スパウト通水部１０と直交する方向に延びる平板を形成している。スパウト通水部１０は、このガイド部材２４を有しているので、スパウト通水部１０を取付開口部２０から水栓本体１４内で供給部８に向かって押し込む際に、スパウト通水部１０側の接続部１２の位置が、供給部８側の接続部１２の位置にガイドされ、接続部１２が確実に且つスムーズに接続される。
なお、本発明の一実施形態において、スパウト通水部１０が、ガイド部材２４を有しているが、水栓本体１４の内面１４ａ等の他の部分においてガイド部材が設けられ、スパウト通水部１０が水栓本体１４内に挿入される際に、スパウト通水部１０がこのガイド部材によって供給部８側の接続部１２の位置にガイドされるようになっていてもよい。また、ガイド部材２４は、平板形状のみならず、羽根形状や凹凸形状等のガイドを可能にする構造に変更することもできる。
【００４０】
次に、図８により、本発明の一実施形態による水栓装置の製造方法を説明する。
図８は、本発明の一実施形態による水栓装置１の製造工程を概略的に示す概略図である。
【００４１】
図８に示すように、本実施形態では、水栓装置１の製造工程においては、台座の上に立ち上がる立上部１ａと立上部から横に延びるスパウト部１ｂとを一体成型した水栓本体１４を準備する工程（ステップ）Ｓ１が行われる。
次に、組立工程Ｓ２においては、水栓本体１４の立上部１ａ内に供給部８が取付けられる。このとき、ハンドル４及び機能部１８等の部材が水栓本体１４の立上部１ａ側で取付けられてもよいし、後の組立工程Ｓ３以後の時点においてこれらの部材が取付けられてもよい。組立工程Ｓ２が終わったとき、供給部８側の接続部１２は、水栓本体１４のスパウト部１ｂの基部側に位置することとなる。
【００４２】
次に、組立工程Ｓ３においては、スパウト通水部１０を水栓本体１４の取付開口部２０から、供給部８との接続部１２に向かって、取付開口部２０に対して斜め横向きに挿入する。水栓本体１４のスパウト部１ｂは、立上部１ａから横に延びており、スパウト部１ｂの下面に取付開口部２０が開口している。ここで、供給部８側の接続部１２はスパウト部１ｂの基部側の根元に位置している。よって、スパウト通水部１０を下向きの取付開口部２０から、スパウト部１ｂの長手方向の向きに近くなるように、ほぼ平行に近づけるように、横向きに挿入する。スパウト通水部１０が可撓性を有しているので、スパウト通水部１０を、わずかに撓ませるようにしてスパウト部１ｂの延びる向きと並行になるように押し込むことができる。
【００４３】
次に、組立工程Ｓ４においては、スパウト通水部１０を水栓本体１４内の供給部８と、接続部１２において接続し、その後に、蓋部２２を取付開口部２０に下方から取付ける。なお、本実施形態においては、スパウト通水部１０を水栓本体１４内の供給部８に挿入しているが、他の実施形態においては、水栓本体１４内において、供給部８をスパウト通水部１０に対して挿入するようにしてスパウト通水部１０と供給部８とを接続してもよい。
スパウト通水部１０は、ガイド部材２４（図８においては図示せず）を有しているので、スパウト通水部１０が挿入されるのに伴ってスパウト通水部１０側の接続部１２の位置が、供給部８側の接続部１２の位置と合致するように導かれ、スパウト通水部１０と供給部８とを視認しにくい状態でも確実に且つスムーズに接続することができる。スパウト通水部１０が供給部８と接続された状態で、上方に延びる供給部８から横向きに延びる流路が構成できる。蓋部２２が取付開口部２０に取付けられることにより、水栓装置１が完成される。この水栓装置１を、施工時に洗面台２等の台座上に取付ける。
【００４４】
このように組み立てることにより、洗面台２の上に立ち上がる立上部１ａと、立上部１ａから横に延びるスパウト部１ｂとを有している立水栓装置において、水栓本体１４が、立上部１ａとスパウト部１ｂとを一体としてカバーするように形成されている場合に、スパウト通水部１０を、取付開口部２０から水栓本体１４内に挿入し、水栓本体１４内で供給部８と接続することができる。よって、水栓本体１４は、スパウト部１ｂの下側に取付開口部２０が開口されているので、取付開口部２０と、この取付開口部２０に取付けられる蓋部２２との間に生じる割線２６が、スパウト部１ｂの下側の底面２８内に形成される。また、水栓本体１４は、使用者から見えやすい立上部１ａとスパウト部１ｂの上側の部分とを一体としてカバーするように形成され、見えやすい位置に割線２６が配置されないようになっている。従って、割線２６を使用者が見えにくい位置に配置することができ、水栓装置１のデザイン性を向上することができる。
【００４５】
上述した本発明の一実施形態による水栓装置１によれば、洗面台２の上に立ち上がる立上部１ａと、立上部１ａから横に延びるスパウト部１ｂとを有している立水栓装置において、水栓本体１４が、立上部１ａとスパウト部１ｂとを一体として構成するように形成されている場合に、スパウト通水部１０を、取付開口部２０から水栓本体１４内に挿入し、水栓本体１４内で供給部８と接続することができる。
ここで、水栓本体１４は、スパウト部１ｂの下側に取付開口部２０が開口されているので、取付開口部２０と、この取付開口部２０に取付けられる蓋部２２との間に生じる割線２６が、スパウト部１ｂの下側の面内に形成される。
従って、水栓本体１４は、使用者から見えやすい立上部１ａとスパウト部１ｂとを一体として構成するように形成され、水栓本体１４に生じる割線２６を使用者が見えにくい位置に配置することができ、水栓装置１のデザイン性を向上することができる。
【００４６】
上述した本発明の一実施形態による水栓装置１によれば、取付開口部２０は、その内側に吐水開口６が位置するように形成されているので、スパウト通水部１０を取付開口部２０から水栓本体１４内に挿入することができ、取付開口部２０の内側の吐水開口６から吐水させることができる。
【００４７】
上述した本発明の一実施形態による水栓装置１によれば、蓋部２２によって吐水開口６を形成することができる。
【００４８】
上述した本発明の一実施形態による水栓装置１によれば、取付開口部２０と、この取付開口部２０に取付けられる蓋部２２との間に生じる割線２６が、スパウト部１ｂの下側の下方に湾曲するアーチ形状の下面の一部に形成される。従って、割線２６を使用者が見えにくい位置に配置することができ、水栓装置１のデザイン性を向上することができる。
【００４９】
上述した本発明の一実施形態による水栓装置１によれば、スパウト通水部１０を、取付開口部２０から挿入しやすくすることができる。
【００５０】
上述した本発明の一実施形態による水栓装置１によれば、スパウト通水部１０を水栓本体１４内で供給部８に向かって挿入する際に、ガイド部材２４が、スパウト通水部１０を、供給部８との接続部１２に導くことができ、接続部１２と確実に接続することができる。
【００５１】
上述した本発明の一実施形態による水栓装置１によれば、接続部１２は、鉛直断面視において楕円形状を形成しているので、スパウト通水部１０側の接続部１２を取付開口部２０内に挿入するときに、取付開口部２０内に挿入しやすくなっている。
【００５２】
上述した本発明の一実施形態の水栓装置１の製造方法及びこのように製造される本発明の水栓装置１においては、洗面台２の上に立ち上がる立上部１ａと、立上部１ａから横に延びるスパウト部１ｂとを有している立水栓装置において、水栓本体１４が、立上部１ａとスパウト部１ｂとを一体として構成するように形成されている場合に、スパウト通水部１０を、取付開口部２０から水栓本体１４内に挿入でき、水栓本体１４内で供給部８と接続することができる。
よって、水栓本体１４は、スパウト部１ｂの下側に取付開口部２０が開口されているので、取付開口部２０と、この取付開口部２０に取付けられる蓋部２２との間に生じる割線２６が、スパウト部１ｂの下側の面内に形成される。また、水栓本体１４は、使用者から見えやすい立上部１ａとスパウト部１ｂとを一体として構成するように形成され、水栓本体１４に生じる割線２６を使用者が見えにくい位置に配置することができ、デザイン性を向上した水栓装置１を製造することができる。
【符号の説明】
【００５３】
１      水栓装置
１ａ    立上部
１ｂ    スパウト部
２      洗面台
４      ハンドル
６      吐水開口
８      供給部
９      ホース
１０    スパウト通水部
１１    吐水口部
１２    接続部
１４    水栓本体
１４ａ  内面
１６    弁体
１８    機能部
２０    取付開口部
２０ｂ  基端側部
２０ａ  先端側部
２２    蓋部
２２ａ  先端側縁
２４    ガイド部材
２６    割線
２８    底面
【図１】
0006536784.tif 000002
【図２】
0006536784.tif 000003
【図３】
0006536784.tif 000004
【図４】
0006536784.tif 000005
【図５】
0006536784.tif 000006
【図６】
0006536784.tif 000007
【図７】
0006536784.tif 000008
【図８】
0006536784.tif 000009